(57)【要約】　　　（修正有）【課題】２枚重ねや異物挿入などの誤挿入があっても異物を確実に解除できる記録再生装置を提供する。【解決手段】ベースフラップ８は搬送ローラ３を支持すると共に回転軸９に軸支されて揺動可能であり、スプリング１０により矢印Ｃ方向に常に付勢されて搬送ローラ２を従動ローラ７側に押圧している。ベースフラップ８は、異物が搬送ローラ３と従動ローラ７との間を通過する際に搬送ローラ３がスプリング１０の付勢力に抗して従動ローラ７から離間した場合にベースフラップ８の開動距離を検出するリニアセンサ１１に接続されている。【選択図】　　　　図２
2004086983.tif 000002
【特許請求の範囲】
【請求項１】
記録媒体を装置の挿入位置から再生位置まで搬送する搬送回転部材と、前記記録媒体の搬送を案内する案内部材と、前記搬送回転部材を支えて一点を中心に回動する回転部保持部材と、前記案内部材に搬送回転部材を付勢することによって記録媒体を挟持し搬送するために前記回転部保持部材に取り付けられた付勢部材と、搬送中の記録媒体の厚さを前記搬送回転部材と前記案内部材との開動距離として検出する検出手段と、該検出手段により記録媒体が正規の厚さを有していないと判断された場合に前記搬送回転部材を逆回転させて記録媒体を排出する制御手段とを備えた記録再生装置。
【請求項２】
検出手段は回転部保持部材の開動角度を検知する角度センサであることを特徴とする請求項１記載の記録再生装置。
【請求項３】
搬送回転部材と案内部材との間に形成される隙間を、搬送回転部材の外側で狭く、中央に向かって徐々に広くなるテーパ状に形成したことを特徴とする請求項１または請求項２記載の記録再生装置。
【請求項４】
搬送回転部材より挿入側の位置で記録媒体の挿入開始を検知する検出器の通過時点から、搬送回転部材より再生側の位置で記録媒体の排出完了を検知する検出器の通過時点までに記録媒体に対する厚さ検知を行う制御手段を備えたことを特徴とする請求項１から請求項３のうちいずれか１項に記載の記録再生装置。
【請求項５】
正規の記録媒体ではないと判断した場合に、搬送回転部材より再生側の位置で記録媒体の排出完了を検知する検出器による通過検出により不適の記録媒体の排出を開始し、その検出器により不適の記録媒体が非検出となるまで排出動作を続行する制御手段を備えたことを特徴とする請求項４記載の記録再生装置。
【発明の詳細な説明】
【０００１】
【発明の属する技術分野】
この発明は、ディスク等の記録媒体を用いる記録再生装置に関するものである。
【０００２】
【従来の技術】
記録再生装置には、時として記録媒体が２枚以上同時に誤挿入される場合や異物が装置内に誤挿入される場合などがあり、記録再生装置は動作不良や動作停止の事態に陥ることがある。このため、記録再生装置内への誤挿入を検知し、これを排出することにより装置を保護また事故を防止するため、種々の提案がなされている。
【０００３】
特開２０００−１３２８９６公報は異物侵入防止を目的としてなされた記録再生装置を開示しており、図６は従来の記録再生装置における電気回路を示すブロック図であり、図７は図６に示した記録再生装置における光検出器の配置を説明するための平面図であり、図８は図６および図７に示した記録再生装置の動作を説明するためのフローチャートである。
【０００４】
図６において符号２６は記録媒体挿入位置から記録媒体収納位置まで記録媒体を搬入するための搬送機構に備えられた駆動モータ、２９は制御回路、３０は駆動モータ２６を制御するマイクロプロセッサ（ＭＰＵ）を備えるコントローラ、３１は計時処理を行うためのプログラムタイマ、３３は駆動モータ２６を駆動するための駆動回路である。記録媒体挿入位置と記録媒体収納位置との間にはコンパクトディスク（以下、ＣＤという）等の記録媒体の通過を検出する光検出器Ｐ１〜Ｐ３が設けられている。３２ａ〜３２ｆは例えば６枚重ねの各トレイ（図示せず）に付けられたアドレス番号を指定するための選択スイッチ、３２ｇは選択スイッチ３２ａ〜３２ｆの指定を解除するための解除スイッチである。
【０００５】
ここで、使用者がコントローラ３０に対して記録媒体の搬入を指示したにも係わらず、プログラムタイマ３１で計測された時間が第１の所定時間を超えても、光検出器Ｐ１〜Ｐ３から記録媒体検出信号Ｓ１〜Ｓ３が出力されないと、駆動モータ２６を逆回転させることで搬送機構に排出動作を行わせる。これにより異物の侵入等が未然に防止される。
【０００６】
次に図７を参照してディスク搬送機構４１および４２の動作を説明する。
まず、図７には図示されていない駆動モータ２６を回転させると、記録媒体（１２ｃｍ型ＣＤまたは８ｃｍ型ＣＤ）はディスク搬送機構４１および４２により挿入される。一方、駆動モータ２６を逆回転させると各搬送ローラ４１ａ、４２ａは記録媒体を排出する方向に回転する。さらに、ディスク搬送機構４１および４２の前後には記録媒体の通過を検出する光検出器Ｐ１〜Ｐ３が設けられている。第１の光検出器Ｐ１および第２の光検出器Ｐ２は８ｃｍ型ＣＤの直径より狭い間隔で配置され、第３の光検出器Ｐ３は１２ｃｍ型ＣＤの外縁部の通過を検出する位置に設けられている。さらに、第１の光検出器Ｐ１および第３の光検出器Ｐ３は８ｃｍ型ＣＤの直径よりも広い間隔で設置されている。なお、図７においてＨＳＷは搬入された１２ｃｍ型ＣＤ等の記録媒体との当接により当該記録媒体が所定のクランプ位置に到達したことを示す検出信号を出力するマイクロスイッチ等の検出スイッチである。
【０００７】
図８ではかかる構成を有する複数枚収納し得る上記の記録再生装置の動作をフローチャートに示している。ここでは異物挿入による不慮の事故を未然に防止するための動作について説明する。
【０００８】
使用者が図６に示した選択スイッチ３２ａ〜３２ｆのいずれかを選択して記録媒体を収納させるためのアドレス番号を指示すると、その指示されたアドレス番号をコントローラ３０が認識し位置合せする（ステップＳＴ１００〜ステップＳＴ１０１）。次に開閉扉を開いて挿入口を開放しプログラムタイマ３１をリスタートする（ステップＳＴ１０２〜ステップＳＴ１０３）。次にプログラムタイマ３１計時動作中に光検出器Ｐ１に検出されたかどうかを判断し（ステップＳＴ１０４）、検出されなければステップＳＴ１０９に移行する。一方、光検出器Ｐ１に検出された場合には記録媒体が挿入されたと判断して駆動モータ２６を起動させ、搬送ローラ４１ａおよび４２ａを正回転させる（ステップＳＴ１０５）。
【０００９】
次にステップＳＴ１０６では搬送ローラ４１ａ、４２ａによる挿入の際に記録再生装置内で何らかの異常を発生したか否かを光検出器Ｐ１〜Ｐ３の出力に基づいて異常がなければ挿入し（ステップＳＴ１０７）、挿入完了スイッチＨＳの検知信号に基づいて搬送ローラ４１ａおよび４２ａを停止させる。次に挿入された記録媒体と共にトレイ（図示せず）全体を固定シャーシ（図示せず）側に最も近い待機位置まで移動させる（ステップＳＴ１０８）。
【００１０】
上記にてステップＳＴ１０９に移行した場合には、もう一度ステップＳＴ１００で設定されたアドレス番号が解除されていないかを調べ、解除されていなければ（ステップＳＴ１３３）、ステップＳＴ１０４の処理へ移行する。またステップＳＴ１０９においてタイムアウトの場合にもステップＳＴ１２０の処理へ移行する。
【００１１】
次にステップＳＴ１２０の処理において、光検出器Ｐ１〜Ｐ３からの検出番号Ｓ１〜Ｓ３を判断し（ステップＳＴ１２１）いずれかが検知した場合には、記録再生装置の中に異物が挿入されていると判断し搬送ローラ４１ａおよび４２ａを逆回転して異物を排出する（ステップＳＴ１２９〜ステップＳＴ１３０）。一方、光検出器Ｐ１〜Ｐ３のいずれにおいても検知しなかった場合は異物は挿入されていないと判断し、所定時間（５００ｍｓｅｃ）に搬送ローラ４１ａおよび４２ａを逆回転させることにより、間違いなく異物が存在しないことを再確認して、搬送ローラ４１ａおよび４２ａを停止する（ステップＳＴ１２２〜ステップＳＴ１２４）。次に記録再生装置の開閉扉を閉鎖し（ステップＳＴ１２５）、正常に閉鎖されていなければ、開閉扉を開放して（ステップＳＴ１２７）、ステップＳＴ１２０の処理へ移行する。一方、正常に閉鎖されれば待機状態とするか再生動作へ移行する（ステップＳＴ１２８）。
【００１２】
次に搬送ローラ４１ａおよび４２ａを停止させた状態で、光検出器Ｐ１〜Ｐ３の全ての検出信号Ｓ１〜Ｓ３が論理“Ｌ”か否かを判断する（ステップＳＴ１３１）。ここで、検出信号Ｓ１〜Ｓ３の全てが論理“Ｌ”であれば、異物の排出がなされたと判断して、ステップＳＴ１００からの処理へ移行して、ディスク挿入待ちのための待機状態となる。一方、検出信号Ｓ１〜Ｓ３の全てが論理“Ｌ”でなければ、異物等の排出がなされていない、すなわち異物等が光検出器Ｐ１〜Ｐ３のいずれかの位置に残存していると判断して、表示パネル等に異常発生の旨を警告表示したり、合成音声や警告音等の音で警告を発して（スイッチＳＴ１３２）、記録再生装置を完全に停止させる。
【００１３】
このような従来の記録再生装置では、開閉扉が開いた状態でタイムアウトになっても記録媒体が挿入されない場合はディスク搬送機構４１および４２の搬送ローラ４１ａおよび４２ａは逆回転し、異物等が装置本体内に挿入した際の不慮の事故を未然に防止することができる。
【００１４】
【発明が解決しようとする課題】
しかし、従来の記録再生装置は上述のような構成を有しているので、時間によってのみコントロールされているため、正規の記録媒体に類似した形状であれば、２枚重ね挿入や厚みが異なっていたり反り等の変形が生じていても、一旦挿入された異物は排除できずに装置の中に取り残され、最悪の場合、装置が破損される可能性があるという課題があった。
【００１５】
この発明は上記のような課題を解決するためになされたもので、２枚重ねや異物挿入などの誤挿入があっても異物を確実に解除できる記録再生装置を得ることを目的とする。
【００１６】
【課題を解決するための手段】
この発明に係る記録再生装置は、記録媒体を装置の挿入位置から再生位置まで搬送する搬送回転部材と、前記記録媒体の搬送を案内する案内部材と、前記搬送回転部材を支えて一点を中心に回動する回転部保持部材と、前記案内部材に搬送回転部材を付勢することによって記録媒体を挟持し搬送するために前記回転部保持部材に取り付けられた付勢部材と、搬送中の記録媒体の厚さを前記搬送回転部材と前記案内部材との開動距離として検出する検出手段と、該検出手段により記録媒体が正規の厚さを有していないと判断された場合に前記搬送回転部材を逆回転させて記録媒体を排出する制御手段とを備えたものである。
【００１７】
この発明に係る記録再生装置は、検出手段として回転部保持部材の開動角度を検知する角度センサを用いたものである。
【００１８】
この発明に係る記録再生装置は、搬送回転部材と案内部材との間に形成される隙間を、搬送回転部材の外側で狭く、中央に向かって徐々に広くなるテーパ状に形成したものである。
【００１９】
この発明に係る記録再生装置は、搬送回転部材より挿入側の位置で記録媒体の挿入開始を検知する検出器の通過時点から、搬送回転部材より再生側の位置で記録媒体の排出完了を検知する検出器の通過時点までに記録媒体に対する厚さ検知を行う制御手段を備えたものである。
【００２０】
この発明に係る記録再生装置は、正規の記録媒体ではないと判断した場合に、搬送回転部材より再生側の位置で記録媒体の排出完了を検知する検出器による通過検出により不適の記録媒体の排出を開始し、その検出器により不適の記録媒体が非検出となるまで排出動作を続行する制御手段を備えたものである。
【００２１】
【発明の実施の形態】
以下、この発明の実施の一形態を説明する。
実施の形態１．
図１はこの発明の実施の形態１による記録再生装置の構成を示す平面図であり、図２は図１のＩＩ−ＩＩ線断面図であり、図３は図１および図２に示した記録再生装置における誤挿入防止機構の動作を説明するフローチャートである。
【００２２】
図において符号１はＣＤまたはミニディスク（以下、ＭＤという）等の記録媒体Ｍの情報を読出す記録再生装置である。記録再生装置１には矢印Ａ方向（挿入方向）に沿って記録媒体Ｍを受け入れ、矢印Ｂ方向（排出方向）に沿って記録媒体Ｍを排出するためのスロット２が設けられている。スロット２の内側には記録媒体Ｍを挟持し挿入位置と再生位置との間で搬送するための一対の搬送ローラ（搬送回転部材）３が矢印Ａ方向と直交する方向に配設されている。搬送ローラ３は駆動モータ４の駆動力をギア５および６等を介して受けて、正回転時には記録媒体Ｍを再生位置へ搬送すると共に逆回転時には記録媒体Ｍを挿入位置へ返送する。各搬送ローラ３の最外端側に対向する位置には、搬送ローラ３の回転駆動に従って回転し記録媒体Ｍを案内する一対の従動ローラ（案内部材）７が配設されている。
【００２３】
スロット２と搬送ローラ３との間には、記録再生装置１内に挿入された記録媒体Ｍを下支えすると共に搬送ローラ３を支持するベースフラップ（回転部保持部材）８が設けられている。ベースフラップ８は回転軸９に軸支されて矢印Ｃ方向またはＤ方向に揺動可能であり、スプリング（付勢部材）１０により矢印Ｃ方向に常に付勢されて搬送ローラ３を従動ローラ７側に押圧している。また、ベースフラップ８は、複数枚重ねた記録媒体Ｍや変形した記録媒体Ｍ等の異物が挿入され搬送ローラ３と従動ローラ７との間を通過する際に搬送ローラ３がスプリング１０の付勢力に抗して従動ローラ７から離間した場合にベースフラップ８の開動距離を正確に検出するリニアセンサ（検出手段）１１に係合されている。即ち、リニアセンサ１１のセンサ移動部１１ａはベースフラップ８の下部に設けられた突起部８ａに係合されて矢印Ａ方向またはＢ方向に往復移動可能であり、その移動距離によってベースフラップ８の開動距離の測定が可能である。
【００２４】
また、スロット２と搬送ローラ３との間には、記録再生装置１内に挿入された記録媒体Ｍを介して搬送ローラ３と対向する位置に記録媒体Ｍを案内するガイドフラップ（案内部材）１２が配設されている。
【００２５】
記録再生装置１の基板１３の底部には、搬送ローラ３よりも挿入側に記録媒体Ｍの挿入開始を検知する光検出器１４が配設され、搬送ローラ３よりも再生位置側に記録媒体Ｍの排出完了を検知する光検出器１５が配設されている。光検出器１４は、基板１３の底部上に配設された投光器１４ａと、この投光器１４ａから搬送ローラ３の軸方向に沿って離間する位置に配設された受光器１４ｂと、ガイドフラップ１２内に配設され投光器１４ａと受光器１４ｂとの間の光路を構成するプリズム１４ｃとから概略構成されている。光検出器１５は、基板１３の底部上に配設された投光器１５ａと、この投光器１５ａから搬送ローラ３の軸方向に沿って離間する位置に配設された受光器１５ｂと、ガイドフラップ１２内に配設され投光器１５ａと受光器１５ｂとの間の光路を構成するプリズム１５ｃとから概略構成されている。また、基板１３の底部には、搬送ローラ３を基準にして再生位置よりも離れた位置に記録媒体Ｍの再生位置までの搬送完了（挿入完了）を検知する検出器１６が配設されている。
【００２６】
このような構成の記録再生装置１における制御手段としてのコントローラ（図示せず）は、上述のリニアセンサ１１、光検出器１４および１５、検出器１６等の各検出装置の検出信号に基づいて駆動モータ４の回転方向を制御している。
【００２７】
次に動作について説明する。
まず、記録媒体Ｍを挿入すると、記録媒体Ｍが搬送ローラ３よりも挿入側に位置する光検出器１４の光路を遮断することで光検出器１４がオンとなり（ステップＳＴ１）、挿入開始が検知される。この検知に応じてコントローラ（図示せず）からの指令により駆動モータ４が駆動し、その駆動力がギア５および６を介して搬送ローラ３に伝えられ、搬送ローラ３が記録媒体Ｍの挿入方向に正回転する。記録媒体Ｍがベースフラップ８によって支持された搬送ローラ３と従動ローラ７との間を通過する際に、リニアセンサ１１によりベースフラップ８の開動距離が検出される。開動距離の検出により記録媒体Ｍの厚さが間接的に検出され（ステップＳＴ３）、その厚さ範囲が正規の範囲であり、「適」であれば、コントローラ（図示せず）からの指令により再生位置まで記録媒体Ｍの搬送が続行される。即ち、適正な厚さの記録媒体Ｍにより光検出器１５の光路が遮断されてオンとなり（ステップＳＴ４）、検出器１６により搬送完了が検知される（ステップＳＴ５）まで搬送ローラ３が駆動される。なお、検出器１６により検知された後においては、記録再生装置１はコントローラ（図示せず）からの再生動作指令があるまで再生待機状態となる。
【００２８】
一方、ステップＳＴ３でリニアセンサ１１によりベースフラップ８の開動距離が所定値を超えたため記録媒体Ｍの厚さが正規の範囲ではなく、「不適」と判断された場合には、光検出器１５の光路が遮断されてオンとなった（ステップＳＴ６）後、コントローラ（図示せず）からの指令により搬送ローラ３が逆回転して（ステップＳＴ７）、不適の記録媒体Ｍの排出を開始する。次に、光検出器１５の光路が透過してオフとなる（ステップＳＴ８）まで、記録媒体Ｍの排出を続行する。これにより不適の記録媒体Ｍの排出が確実に完了する。
【００２９】
以上のように、この実施の形態１によれば、記録媒体Ｍの厚さに対応して変化する搬送ローラ３と従動ローラ７との開動距離をベースフラップ８の変位として検出するリニアセンサ１１を設けるように構成したので、二重挿入や異物挿入などにより正規の厚さを持たない挿入物を確実に排出することができるという効果がある。
【００３０】
この実施の形態１によれば、搬送ローラ３より挿入側の位置で記録媒体Ｍの挿入開始を検知する光検出器１４の通過時点から、搬送ローラ３より再生側の位置で記録媒体Ｍの排出完了を検知する光検出器１５の通過時点までの短時間で記録媒体Ｍに対する厚さ検知を行うコントローラ（図示せず）を備えるように構成したので、スロット２から挿入された記録媒体Ｍが適格か否かの判断を早期に行うことができるという効果がある。
【００３１】
この実施の形態１によれば、正規の記録媒体Ｍではないと判断した場合に、搬送ローラ３より再生側の位置で記録媒体Ｍの排出完了を検知する光検出器１５による通過検出により不適の記録媒体Ｍの排出を開始し、その光検出器１５により不適の記録媒体Ｍが非検出となるまで排出動作を続行するコントローラ（図示せず）を備えるように構成したので、不適の記録媒体Ｍが誤ってスロット２から挿入されても、記録再生装置１の中枢とも言うべき再生部へ誤挿入されてしまう前に不適の記録媒体Ｍを迅速かつ確実に排出することができるという効果がある。これにより、記録再生装置１の動作安定性を確実に保持することができるという効果がある。
【００３２】
なお、この実施の形態１では、記録媒体Ｍの厚さに対応して変化する搬送ローラ３と従動ローラ７との開動距離をベースフラップ８の変位として検出する検出手段としてリニアセンサ１１を採用したが、搬送ローラ３と従動ローラ７との開動距離をベースフラップ８の開動角度として検出する角度センサを採用してもよい。この場合には、リニアセンサ１１が搬送ローラ３の変位に伴うベースフラップ８の回動を直線移動に変換して測定するのに対し、角度センサがベースフラップ８の回動をそのまま測定する点から、搬送ローラ３と従動ローラ７との開動距離を精度よく測定することができるという効果がある。
【００３３】
また、この実施の形態１では、記録媒体Ｍの挿入開始または排出完了を検知する手段として光検出器１４または１５を採用したが、機械的な検出手段を採用してもよい。また、この実施の形態１では、異物の挿入を検出する検出手段としてリニアセンサ１１を採用したが、他の機械的な検出手段または光検出手段を採用してもよい。
【００３４】
実施の形態２．
図４はこの発明の実施の形態２による記録再生装置の要部を示す正面図であり、図５（ａ）および図５（ｂ）は図４に示した記録再生装置への記録媒体の挿入状態を示す正面図である。なお、この実施の形態２の構成要素のうち実施の形態１の構成要素と共通する部分については同一符号を付し、その部分の説明を省略する。
【００３５】
この実施の形態２の特徴は、実施の形態１の各構成要素に加え、図４に示すように、一対の搬送ローラ３とガイドフラップ１２との間に形成される隙間Ｓを、各搬送ローラ３の外側で狭く、記録再生装置１の中央に向かって徐々に広くなるテーパ状に形成した点にある。
【００３６】
次に動作について説明する。
まず、記録再生装置１のスロット２から記録媒体Ｍを挿入すると、搬送ローラ３により隙間Ｓの中央付近に導かれる。このとき、記録媒体Ｍが外径８ｃｍＣＤである場合には、図５（ａ）に示すように記録媒体Ｍが搬送ローラ３とこの搬送ローラ３の最外端側に対向する従動ローラ７との間に到達できず、搬送ローラ３と従動ローラ７との開動距離は小さい。一方、記録媒体Ｍが外径１２ｃｍＣＤである場合には、図５（ｂ）に示すように記録媒体Ｍが搬送ローラ３と従動ローラ７との間に到達できるため、搬送ローラ３と従動ローラ７との開動距離は記録媒体Ｍの厚さの分だけ大きくなる。このように記録媒体Ｍの外径の違いは、搬送ローラ３と従動ローラ７との開動距離差によって判別可能である。従って、コントローラ（図示せず）からの指令により、特定の外径を有する記録媒体Ｍのみの挿入を受け入れ、特定以外の外径を有する記録媒体Ｍの挿入を拒絶することが可能である。
【００３７】
以上のように、この実施の形態２によれば、一対の搬送ローラ３とガイドフラップ１２との間に形成される隙間Ｓを、各搬送ローラ３の外側で狭く、記録再生装置１の中央に向かって徐々に広くなるテーパ状に形成したので、実施の形態１による効果に加えて、装置自体に不具合を発生させる異物を排除するばかりでなく、外径の異なる記録媒体Ｍを搬送ローラ３と従動ローラ７との開動距離差によって判別して必要なサイズの記録媒体Ｍのみの挿入を受け入れることができるという効果がある。
【００３８】
【発明の効果】
以上のように、この発明によれば、搬送中の記録媒体の厚さを搬送回転部材と案内部材との開動距離として検出する検出手段と、該検出手段により記録媒体が正規の厚さを有していないと判断された場合に前記搬送回転部材を逆回転させて記録媒体を排出する制御手段を設けるように構成したので、二重挿入や異物挿入などにより正規の厚さを持たない挿入物を確実に排出することができるという効果がある。
【００３９】
この発明によれば、検出手段として回転部保持部材の開動角度を検知する角度センサを用いるように構成したので、搬送回転部材と案内部材の開動距離を精度よく測定することができるという効果がある。
【００４０】
この発明によれば、搬送回転部材と案内部材との間に形成される隙間を、搬送回転部材の外側で狭く、中央に向かって徐々に広くなるテーパ状に形成するようにしたので、外径の異なる記録媒体を搬送回転部材と案内部材との開動距離差によって判別して必要なサイズの記録媒体のみの挿入を受け入れることができるという効果がある。
【００４１】
この発明によれば、搬送回転部材より挿入側の位置で記録媒体の挿入開始を検知する検出器の通過時点から、搬送回転部材より再生側の位置で記録媒体の排出完了を検知する検出器の通過時点までに記録媒体に対する厚さ検知を行う制御手段を備えるように構成したので、挿入された記録媒体が適格か否かの判断を早期に行うことができるという効果がある。
【００４２】
この発明によれば、正規の記録媒体ではないと判断した場合に、搬送回転部材より再生側の位置で記録媒体の排出完了を検知する検出器による通過検出により不適の記録媒体の排出を開始し、その検出器により不適の記録媒体が非検出となるまで排出動作を続行する制御手段を備えるように構成したので、不適の記録媒体が誤って挿入されても、再生部へ誤挿入されてしまう前に不適の記録媒体を迅速かつ確実に排出することができるという効果がある。
【図面の簡単な説明】
【図１】この発明の実施の形態１による記録再生装置の構成を示す平面図である。
【図２】図１のＩＩ−ＩＩ線断面図である。
【図３】図１および図２に示した記録再生装置における誤挿入防止機構の動作を説明するフローチャートである。
【図４】この発明の実施の形態２による記録再生装置の要部を示す正面図である。
【図５】図４に示した記録再生装置への記録媒体の挿入状態を示す正面図であって、（ａ）は記録媒体として外径８ｃｍＣＤの挿入時を示し、（ｂ）は外径１２ｃｍＣＤの挿入時を示している。
【図６】従来の記録再生装置における電気回路を示すブロック図である。
【図７】図６に示した記録再生装置における光検出器の配置を説明するための平面図である。
【図８】図６および図７に示した記録再生装置の動作を説明するためのフローチャートである。
【符号の説明】
１　記録再生装置、２　スロット、３　搬送ローラ（搬送回転部材）、４　駆動モータ、５，６　ギア、７　従動ローラ（案内部材）、８　ベースフラップ（回転部保持部材）、８ａ　突起部、９　回転軸、１０　スプリング（付勢部材）、１１　リニアセンサ（検出手段）、１１ａ　センサ移動部、１２　ガイドフラップ（案内部材）、１３　基板、１４　光検出器、１４ａ　投光器、１４ｂ　受光器、１４ｃ　プリズム、１５　光検出器、１５ａ　投光器、１５ｂ　受光器、１５ｃ　プリズム、１６　検出器、Ｍ　記録媒体、Ｓ　隙間。
【図１】
2004086983.tif 000003
【図２】
2004086983.tif 000004
【図３】
2004086983.tif 000005
【図４】
2004086983.tif 000006
【図５】
2004086983.tif 000007
【図６】
2004086983.tif 000008
【図７】
2004086983.tif 000009
【図８】
2004086983.tif 000010